(57)【要約】      （修正有）【課題】着用したまま、安全ロープを連結することができるエアコンスーツを提供する。【解決手段】高所作業に適したエアコンスーツに関し、ファンを取り付けるためのファン取付穴が設けられた本体を備え、本体の背中のうち、２つの肩甲骨の中央に面する部位には、安全リング２１を通すための安全リング張出し口１４が設けられ、前記安全リング張出し口は、垂直に設けられた細長い開口部である。エアコンスーツを着用している場合、安全リングは安全リング張出し口を介して張り出すことで、外部の安全ロープ３と連結できるため、高所作業者はエアコンスーツを着用したまま安全ロープを連結することができる。即ち、安全ロープを連結することで高所作業の安全性を確保することができ、着用したエアコンスーツによって体温を調整することもできる。【選択図】図４
0003232482.tif 000002
【実用新案登録請求の範囲】
【請求項１】
ファンを取り付けるためのファン取付穴（１１）が設けられた本体（１）を備える高所作業に適したエアコンスーツであって、本体（１）の背中のうち、着用者の２つの肩甲骨の中央に面する部位には、外部安全リング（２１）を通すための安全リング張出し口（１４）が設けられ、前記安全リング張出し口（１４）は、垂直に設けられた細長い開口部であることを特徴とする高所作業に適したエアコンスーツ。
【請求項２】
前記安全リング張出し口（１４）を開閉するための開閉部材（１４１）をさらに備えることを特徴とする請求項１に記載の高所作業に適したエアコンスーツ。
【請求項３】
前記開閉部材（１４１）は、具体的にはファスナーであり、前記ファスナーの両側は前記安全リング張出し口（１４）の２つの長辺に縫い合わせることを特徴とする請求項２に記載の高所作業に適したエアコンスーツ。
【請求項４】
前記開閉部材（１４１）は、具体的には両開きファスナーであることを特徴とする請求項３に記載の高所作業に適したエアコンスーツ。
【請求項５】
前記ファン取付穴（１１）は２つあり、前記本体（１）の後腰の両側にそれぞれ位置していることを特徴とする請求項１に記載の高所作業に適したエアコンスーツ。
【請求項６】
各ファン取付穴（１１）の縁部には、軟質プラスチックワッシャ（１２）が配置され、当該軟質プラスチックワッシャ（１２）はファン取付穴（１１）の縁部に縫い合わせて固定されることを特徴とする請求項１に記載の高所作業に適したエアコンスーツ。
【請求項７】
前記軟質プラスチックワッシャ（１２）の材料は、具体的にはＴＰＵ軟質ゴムであることを特徴とする請求項６に記載の高所作業に適したエアコンスーツ。
【考案の詳細な説明】
【技術分野】
【０００１】
本考案は、温度調整服の分野に関し、特に、高所作業に適したエアコンスーツに関する。
【背景技術】
【０００２】
高所の安全作業者は屋外で作業し、夏の場合は直射日光に晒されるため、高所の安全作業者にエアコンスーツを提供する必要があるが、特許文献である中国実用新案第２０１６２０３２５３２７．０号に記載のような従来のエアコンスーツでは、着用者はエアコンスーツを着用したまま安全ローブを連結することができない。
【考案の概要】
【考案が解決しようとする課題】
【０００３】
本考案の目的は、着用者がエアコンスーツを着用したまま安全ローブを連結することができるエアコンスーツを提供することにある。
【課題を解決するための手段】
【０００４】
そのため、本考案は、ファンを取り付けるためのファン取付穴が設けられた本体を備え、本体の背中のうち、２つの肩甲骨の中央に面する部位には、安全リングを通すための安全リング張出し口が設けられ、前記安全リング張出し口は、垂直に設けられた細長い開口部である高所作業に適したエアコンスーツを提供している。
【０００５】
さらに、安全リング張出し口を開閉するための開閉部材をさらに備える。
【０００６】
さらに、前記開閉部材は、具体的にはファスナーであり、ファスナーの両側は安全リング張出し口の２つの長辺に縫い合わせる。
【０００７】
さらに、前記開閉部材は、具体的には両開きファスナーである。
【０００８】
さらに、前記ファン取付穴は２つあり、本体の後腰の両側にそれぞれ位置している。
【０００９】
さらに、各ファン取付穴の縁部には、軟質プラスチックワッシャが配置され、当該軟質プラスチックワッシャはファン取付穴の縁部に縫い合わせて固定される。
【００１０】
さらに、前記軟質プラスチックワッシャの材料は、具体的にはＴＰＵ軟質ゴムである。
【考案の効果】
【００１１】
エアコンスーツを着用している場合、安全リングは安全リング張出し口を介して張り出すことで、外部の安全ローブと連結できるため、高所作業者はエアコンスーツを着用したまま安全ローブを連結することができる。即ち、安全ローブを連結することで高所作業の安全性を確保することができ、着用したエアコンスーツによって体温を調整することもできる。
【００１２】
以上、本考案の技術案の概要を説明したが、本考案の技術手段をさらに明瞭に把握し、明細書の内容に従って実施でき、且つ本考案の上記及びほかの目的、特徴や利点をより分かりやすくするために、以下、本考案の具体的な実施例を挙げて説明する。
【図面の簡単な説明】
【００１３】
以下の好適な実施例についての詳細な説明を読むと、ほかの様々な利点及びメリットは当業者にとって明らかになる。図面は単に好適な実施例を示すものであり、本考案を限定しない。全図面を通して、同一符号で同一要素を示す。
【図１】フルボディ型の安全ベルトの模式図である。
【図２】本考案のエアコンスーツの安全リング張出し口が開いた場合の模式図である。
【図３】本考案のエアコンスーツの安全リング張出し口が閉じた場合の模式図である。
【図４】本考案のエアコンスーツを着用したまま安全ローブを連結する場合の模式図である。
【考案を実施するための形態】
【００１４】
本考案が解決しようとする技術問題、技術的手段及び有益な効果をさらに明らかにするために、以下は図面及び実施例を組み合わせて、本考案をさらに詳細に説明する。ここで述べた具体的な実施例は本考案を解釈するためにのみ用いられ、本考案を限定するためのものではないことを理解すべきである。
【００１５】
本考案のエアコンスーツは、図１に示すような安全ベルトを着用するのに適している。
【００１６】
図２に示すように、本実施例のエアコンスーツは、衣服の本体１を備え、本体１の２つの後腰部には、ファンを取り付けるためのファン取付穴１１がそれぞれ設けられ、ファン取付穴１１の縁部には、ＴＰＵ軟質ゴムからなる軟質プラスチックワッシャ１２が設けられ、軟質プラスチックワッシャ１２はファン取付穴１１の縁部に縫い合わせて固定される。それによって、ファン取付穴１１の縁部にある程度の靭性がもたらされ、ファンを取り付ける際のファン取付穴１１とファンとの間の組立誤差が少なくなり、ファンをファン取付穴１１により良く固定することができる。
【００１７】
図２に示すように、本考案のエアコンスーツは、図１に示す安全ベルト２の安全リング２１に面する場所に安全リング２１が張り出すための細長い安全リング張出し口１４が設けられている。図４に示すように、エアコンスーツを着用した場合、安全リング２１は安全リング張出し口１４から張り出すため、外部の安全ローブ３と連結することができ、高所作業員の安全を確保することができる。
【００１８】
図１に示すように、従来の安全ベルト２は、吊り下げ時の仰けざまを避け、吊り下げ時の頭部や手足への圧力を軽減するために、いずれも安全リング２１を背中の２つの肩甲骨の中央部に設けている。そのため、本実施例におけるエアコンスーツも、安全リング張出し口１４を本体１の背中のうち着用者の２つの肩甲骨の中央部に面する部位に設けている。
【００１９】
図２及び図３に示すように、本実施例のエアコンスーツには、ファスナーが設けられ、ファスナーの両側は安全リング張出し口１４の両側に縫い合わせて固定され、ファスナーは安全リング張出し口１４の開閉部材１４１として使用され、使用者は、高所作業をする必要がある場合、開閉部材１４１を開き、安全リング張出し口１４が開かれることで、安全リング２１は安全リング張出し口１４を介してエアコンスーツの外部に張り出して安全ローブ３と連結することができる。使用者は、高所作業をする必要がない場合、開閉部材１４１を閉じ、安全リング張出し口１４が閉じられて、安全リング張出し口１４から気流が流れ出て使用に影響を与えることを防ぐことができる。
【００２０】
さらに、本実施例の開閉部材１４１は、両開きファスナーである。安全リング２１がエアコンスーツを通って張り出した後、両開きファスナーをできるだけ安全リング２１と安全ベルトの連結部に接するように閉じて、安全リング張出し口１４からの気流の漏れを最小限に抑えることができる。
【００２１】
さらに、本実施例の安全リング張出し口１４は、垂直に設けられた細長い開口部であり、異なる身長の人々が使用するのに便利である。
【００２２】
最後に説明されたいのは、以上の実施例は本考案の技術的手段を説明するためのもので、制限するものではない。好適実施例を参照して本考案について詳述したが、本考案の技術的手段の趣旨と範囲から逸脱することなく、本考案の技術的手段に修正または同等置換することが可能であることは、当業者であれば理解されるべきである。
【図１】
0003232482.tif 000003
【図２】
0003232482.tif 000004
【図３】
0003232482.tif 000005
【図４】
0003232482.tif 000006